(57)【要約】【課題】  本発明は高価な設備や機器を用いることなく、ダムの排水口や取水口を流れる排水の力を用いて、ダム内に堆積した土砂を効率よく排出することができるダムのしゅんせつ装置を得るにある。【解決手段】  ダムの排水口あるいは取水口内に排水口あるいは取水口を流れる排水によって吸引されるように後端部が取付けられた先端部がダム内の土砂が堆積している部位に位置させることができる土砂等の排出ホースと、この排出ホースの先端寄りの部位より排出ホースが吸引する土砂に高圧水を噴射して土砂の吸引を容易にする高圧水噴射装置とでダムのしゅんせつ装置を構成している。【選択図】  図２
2008127787.tif 000002
【特許請求の範囲】
【請求項１】
ダムの排水口あるいは取水口内に、該排水口あるいは取水口を流れる排水によって吸引されるように後端部が取付けられた先端部がダム内の土砂が堆積している部位に位置させることができる土砂等の排出ホースと、この排出ホースの先端寄りの部位より、該排出ホースが吸引する土砂に高圧水を噴射して土砂の吸引を容易にする高圧水噴射装置とからなることを特徴とするダムのしゅんせつ装置。
【請求項２】
ダムの排水口あるいは取水口内に、該排水口あるいは取水口を流れる排水によって吸引されるように後端部が取付けられた先端部がダム内の土砂が堆積している部位に位置させることができる土砂等の排出ホースと、この排出ホースの先端部寄りの部位より、該排出ホースが吸引する土砂に高圧水を噴射して土砂の吸引を容易にする高圧水噴射装置と、前記排水口あるいは取水口より排水および前記排出ホースで排出される土砂等を受ける土砂選別槽とからなることを特徴とするダムのしゅんせつ装置。
【請求項３】
ダムの排水口あるいは取水口に取付けられた円筒状のケース体、このケース体に取付けられた排出ホースの後端部を、該ケース体のほぼ中央部に位置するように取付けることができる排水ホース支持具とからなる排出ホース取付け具と、この排出ホース取付け具に後端部が取付けられた先端部がダム内の土砂が堆積している部位に位置させることができる土砂等の排出ホースと、この排出ホースの先端部をワイヤーやロープを介して土砂が堆積している部位へ移動させる台船と、この台船に取付けられた放水ポンプより前記排出ホースの先端部寄りの部位より、該排出ホースが吸引する土砂に高圧水を噴射して土砂の吸引を容易にする高圧水噴射装置とからなることを特徴とするダムのしゅんせつ装置。
【発明の詳細な説明】
【技術分野】
【０００１】
本発明はダム内に堆積した土砂を排出するダムのしゅんせつ装置に関する。
【背景技術】
【０００２】
従来のダムのしゅんせつ装置は台船に積み込んだ重機で掘削するか、専用の設備が付いた船を使ったり、サイフォンの原理を利用するものが考えられている。
【０００３】
しかしながら、台船に重機や専用の設備を設けたものは、一定量の土砂が台船に溜まると捨てるために岸まで台船を移動させなければならず、作業効率が悪いとともに、コスト高になるという欠点があった。
また、サイフォンの原理を利用するものは十分な吸引力が得られず、土砂を効率よく排出することができないという欠点があった。
【特許文献１】特開平９−１５８１６０
【発明の開示】
【発明が解決しようとする課題】
【０００４】
本発明は以上のような従来の欠点に鑑み、高価な設備や機器を用いることなく、ダムの排水口や取水口を流れる排水の力を用いて、ダム内に堆積した土砂を効率よく排出することができるダムのしゅんせつ装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はダムの排水口あるいは取水口内に、該排水口あるいは取水口を流れる排水によって吸引されるように後端部が取付けられた先端部がダム内の土砂が堆積している部位に位置させることができる土砂等の排出ホースと、この排出ホースの先端寄りの部位より、該排出ホースが吸引する土砂に高圧水を噴射して土砂の吸引を容易にする高圧水噴射装置とでダムのしゅんせつ装置を構成している。
【発明の効果】
【０００７】
以上の説明から明らかなように、本発明にあっては次に列挙する効果が得られる。
【０００８】
（１）ダムの排水口あるいは取水口内に、該排水口あるいは取水口を流れる排水によって吸引されるように後端部が取付けられた先端部がダム内の土砂が堆積している部位に位置させることができる土砂等の排出ホースと、この排出ホースの先端寄りの部位より、該排出ホースが吸引する土砂に高圧水を噴射して土砂の吸引を容易にする高圧水噴射装置とからなるので、排水口あるいは取水口よりダム内の水を排水すると、該排水口あるいは取水口を通過する排水流によって排出ホースに吸引力が作用して、土砂と水とを吸引して排出することができる。
したがって、ダム内に堆積した土砂の排出に高価な機器やエネルギーを用いなくてもよく、低コストで土砂の排出を行なうことができる。
【０００９】
（２）前記（１）によって、排出ホースの先端部寄りの部位より堆積した土砂に高圧水を高圧水噴射装置で噴射することができるので、排出ホースより土砂等を効率よく吸引させることができる。
【００１０】
（３）前記（１）によって、構造が簡単で、特殊な機器を用いなくてもよいので、経済的で短期間に土砂を排出させるための作業を行なうことができる。
【００１１】
（４）請求項2も前記（１）〜（３）と同様な効果が得られるとともに、排出した土砂を土砂選別槽で選別して、土砂を回収することができる。
【００１２】
（５）請求項３も前記（１）〜（３）と同様な効果が得られるとともに、排出ホースの先端部を効率よく移動させて、ダム内に堆積した土砂を効率よく排出することができる。
【発明を実施するための最良の形態】
【００１３】
以下、図面に示す本発明を実施するための最良の形態により、本発明を詳細に説明する。
【００１４】
図1ないし図6に示す本発明を実施するための最良の第1の形態において、1はダム２内に堆積した土砂３等をダム２外へ排出することができる本発明のダムのしゅんせつ装置で、このダムのしゅんせつ装置1はダム２に形成された中央部あるいは外側部位に開閉バルブ４が設けられた排水口５に取付けられた排出ホース取付け具６と、この排出ホース取付け具６に後端部が前記排水口５を流れる排水によって吸引されるように取付けられた、先端部が前記ダム２内の土砂が堆積している部位へ位置させることができる排出ホース７と、この排出ホース７の先端部をワイヤー８を介して所定位置へ移動させる台船９と、この台船９に取付けられた放水ポンプ１０より前記排出ホース７の先端部寄りの部位より、該排出ホース７が吸引する土砂３に高圧水を噴射して土砂の吸引を容易にする高圧水噴射装置１１と、前記排水口５からの排水を受ける土砂選別槽１２とで構成されている。
【００１５】
前記排出ホース取付け具６は図３に示すように、前記排水口５の上流側の周縁部にフランジ部１３が複数本のアンカーボルト１４で固定された、該排水口５の内壁面に密着する、排水が可能でかつ前記排出ホース７の後端部を支持する支持部１５を有するガイド筒１６を備えるケース体１７と、このケース体１７のフランジ部１３に複数本のボルト１８で固定される中央部で前記排出ホース７の後端部寄りの部位を支持する格子状の排出ホース支持具１９とで構成されている。
【００１６】
前記排出ホース７は必要に応じて、複数個の所定位置をフロート２０に設置したウインチ２１、２１のワイヤー２２、２２によって、所定位置の水中に位置させられるとともに、先端部にストレーナー２３が取付けられている。
【００１７】
前記高圧水噴射装置１１は台船９に取付けられた放水ポンプ１０からの高圧水を複数本の高圧ホース２４、２４で、該高圧ホース２４、２４の先端部が前記排出ホース７の先端部に位置するように取付けられている。
なお、高圧ホース２４、２４の先端部は排出ホース７の外壁面に位置するように取付けたり、あるいは排出ホース７内よりストレーナー２３内に位置するように取付けてもよい。
【００１８】
前記土砂選別槽１２は通路２５よりブルドーザー２６が入れるように傾斜面の底面に形成され、川側に水がオーバーフローで排出できる仕切り壁２７が形成されたものである。
【００１９】
上記構成のダムのしゅんせつ装置１は排水口５の開閉バルブ４を開放することにより、ダム２内の蓄えられた水が排水口５の排出ホース取付け具６の排出ホース７の外周部の空間部２８を通過して、勢いよく排水される。
この排水の勢いによって排出ホース７内には大きな吸引力が作用するため、先端部のストレーナー２３を介して堆積した土砂３と水とが吸引され、排水口５より排出される。
この堆積した土砂を排出ホース７に効率よく吸引させるため、高圧水噴射装置１１で排出ホース７の先端部より吸引する土砂２へ高圧水を噴射する。
また、台船９を移動させることにより、排出ホース７の先端部を移動させることができるので、排出ホース７の先端部を堆積した土砂部分へ移動して、該部位の土砂を吸引排出させることができる。
なお、台船９は先端部にアンカーが取付けられたアンカーロープを複数本用いて、所定位置に固定しながら作業を行なっても良い。
また、排出ホース７の曲げ部には必要に応じて蛇腹を介装して、自由に何れの方向にでも曲がるようにしてもよい。
[発明を実施するための異なる形態]
【００２０】
次に、図７ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図７ないし図９に示す本発明を実施するための第２の形態において、前記本発明を実施するための最良の第１の形態と主に異なる点は、所定間隔で蛇腹管２９を介装した排出ホース７Ａの後端部をダム２内に設置したヤグラ３０に支持させるとともに、排出ホース７Ａの中央部部分に水面上に位置できるように複数個のフロート３１を設置した点で、このように構成したダムのしゅんせつ装置１Ａにしても、前記本発明を実施するための最良の第１の形態と同様な作用効果が得られる。
【００２２】
図１０ないし図１３に示す本発明を実施するための第３の形態において、前記本発明を実施するための最良の第１の形態と主に異なる点は、先端部にオリフィス３２を形成したガイド筒１６Ａと、排水口５の直径よりも大径の格子状の排出ホース支持具１９とを備える排出ホース取付け具６Ａを用いるとともに、排出ホース７の後端部を前記ガイド筒１６Ａのオリフィス３２の作用によって効率よく吸引される部位に配置した点で、このように構成したダムのしゅんせつ装置１Ｂにしても、前記本発明を実施するための最良の第１の形態と同様な作用効果が得られる。
【００２３】
図１４ないし図１７に示す本発明を実施するための第４の形態において、前記本発明を実施するための第３の形態と主に異なる点は、オリフィス３２に排出ホース７の後端部が挿入される挿入孔３３および該挿入孔３３と連通し、オリフィス３２の縮径部に開口する排出通路３４を形成したガイド筒１６Ｂを備える排出ホース取付け具６Ｂを用いた点で、このように構成したダムのしゅんせつ装置１Ｃにしても、前記本発明を実施するための第３の形態と同様な作用効果が得られる。
【００２４】
図１８ないし図２０に示す本発明を実施するための第５の形態において、前記本発明を実施するための第４の形態と主に異なる点は、発電用の取水口３５に排出ホース取付け具６Ｂを用いて排出ホース７を取付けるとともに、取水口３５より導かれる土砂を含む水を発電機３６への管路３７より土砂選別槽１２へ導く開閉弁３８を備える分岐水路３９を設けた点で、このように構成したダムのしゅんせつ装置１Ｄにしても、前記本発明を実施するための第４の形態と同様な作用効果が得られる。
【００２５】
図２１および図２２に示す本発明を実施するための第６の形態において、前記本発明を実施するための第２の形態と主に異なる点は、ダム２Ａの排水口５の内側部位に排水路を十分に確保することが出来る導入排水菅４０を設け、この導入排水菅４０の先端部に該導入排水菅４０の直径よりも大径の格子状の排出ホース支持具１９とを備える排出ホース取付け具６Ｃを取付けた点で、このように構成したダムのしゅんせつ装置１Ｅにしても、前記本発明を実施するための第２の形態と同様な作用効果が得られるとともに、ダム２の排水口５に導入排水菅４０を介して排出ホース取付け具６Ｃを取付けることにより、比較的に薄肉のダム２Ａにでも容易に設置することが出来る。
【００２６】
図２３および図２４に示す本発明を実施するための第７の形態において、前記本発明を実施するための第６の形態と主に異なる点は、ダム２Ａの排水口５に先端部が外側に突出して排水路を十分に確保することが出来るケース体１７Ａを使用する排出ホース取付け具６Ｄを用いた点で、このような排出ホース取付け具６Ｄを用いて構成したダムのしゅんせつ装置１Ｆにしても、前記本発明を実施するための第６の形態と同様な作用効果が得られる。
【産業上の利用可能性】
【００２７】
本発明はダムのしゅんせつ装置を製造する産業で利用される。
【図面の簡単な説明】
【００２８】
【図１】本発明を実施するための最良の第１の形態の平面図。
【図２】図１の２−２線に沿う断面図。
【図３】本発明を実施するための最良の第１の形態の排出ホース取付け具の説明図。
【図４】図１の４−４線拡大断面図。
【図５】図１の５−５線拡大断面図。
【図６】本発明を実施するための最良の第１の形態の土砂選別槽の説明図。
【図７】本発明を実施するための第２の形態の平面図。
【図８】図７の８−８線に沿う断面図。
【図９】図７の９−９線拡大断面図。
【図１０】本発明を実施するための第３の形態の平面図。
【図１１】図１０の１１−１１線に沿う断面図。
【図１２】本発明を実施するための第３の形態の排出ホース取付け具の説明図。
【図１３】図１０の１３−１３線に沿う拡大断面図。
【図１４】本発明を実施するための第４の形態の平面図。
【図１５】図１４の１５−１５線に沿う断面図。
【図１６】本発明を実施するための第４の形態の排出ホース取付け具の説明図。
【図１７】図１４の１７−１７線に沿う拡大断面図。
【図１８】本発明を実施するための第５の形態の平面図。
【図１９】図１８の１９−１９線に沿う断面図。
【図２０】本発明を実施するための第５の形態の分岐水路の説明図。
【図２１】本発明を実施するための第６の形態の平面図。
【図２２】図２１の２２−２２線に沿う拡大断面図。
【図２３】本発明を実施するための第７の形態の平面図。
【図２４】図２３の２４−２４線に沿う拡大断面図。
【符号の説明】
【００２９】
１、１Ａ、１Ｂ、１Ｃ、１Ｄ、１Ｅ、１Ｆ：ダムのしゅんせつ装置、
２、２Ａ：ダム、                            ３：土砂、
４：開閉バルブ、                            ５：排水口、            
６、６Ａ、６Ｂ、６Ｃ、６Ｄ：排出ホース取付け具、            
７、７Ａ：排出ホース、                ８：ワイヤー、
９：台船、                                        １０：放水ポンプ、
１１：高圧水噴射装置、                １２：土砂選別槽、
１３：フランジ、                            １４：アンカーボルト、
１５：支持部、                                １６、１６Ａ、１６Ｂ：ガイド筒、
１７、１７Ａ：ケース体、                        １８：ボルト、
１９：排出ホース支持具、                        ２０：フロート、
２１：ウインチ、                            ２２：ワイヤー、
２３：ストレーナー、                    ２４：高圧ホース、
２５：通路、                                                ２６：ブルドーザー、
２７：仕切り壁、                            ２８：空間部、
２９：蛇腹管、                                ３０：ヤグラ、
３１：フロート、                            ３２：オリフィス、
３３：挿入孔、                                ３４：排出通路、
３５：取水口、                                ３６：発電機、
３７：管路、                                                ３８：開閉弁、
３９：分岐水路、              ４０：導入排水菅。
【図１】
2008127787.tif 000003
【図２】
2008127787.tif 000004
【図３】
2008127787.tif 000005
【図４】
2008127787.tif 000006
【図５】
2008127787.tif 000007
【図６】
2008127787.tif 000008
【図７】
2008127787.tif 000009
【図８】
2008127787.tif 000010
【図９】
2008127787.tif 000011
【図１０】
2008127787.tif 000012
【図１１】
2008127787.tif 000013
【図１２】
2008127787.tif 000014
【図１３】
2008127787.tif 000015
【図１４】
2008127787.tif 000016
【図１５】
2008127787.tif 000017
【図１６】
2008127787.tif 000018
【図１７】
2008127787.tif 000019
【図１８】
2008127787.tif 000020
【図１９】
2008127787.tif 000021
【図２０】
2008127787.tif 000022
【図２１】
2008127787.tif 000023
【図２２】
2008127787.tif 000024
【図２３】
2008127787.tif 000025
【図２４】
2008127787.tif 000026